(57)【要約】【課題】作業機から施肥ノズルを後方下方へ向けて斜設してペースト状肥料を土中へ施用するようにした施肥機において、簡単な装置を装着することにより、土中からの肥料の流亡を無くして肥料の無駄を省くと共に、部分的な穀稈の生育ムラを発生させない施肥機を得る。【解決手段】作業機から施肥ノズルを後方下方へ向けて斜設してペースト状肥料を土中へ施用するようにした施肥機において、埋め戻し部材を平面視で施肥ノズルの外側に対して交差状に、且つ側面視で後方下方へ傾斜して設けた。また、前記埋め戻し部材を棒状部材で形成した。【選択図】        図３
2005040004.tif 000002
【特許請求の範囲】
【請求項１】
圃場に苗を移植する苗植付装置に施肥ノズルを後方下方へ向けて斜設して、この施肥ノズルからペースト状肥料を上記苗植付装置で移植した苗の側方近傍の土中へ施用するようにした施肥同時移植機において、前記施肥ノズルが圃場に形成した溝を埋め戻す埋め戻し部材を、平面視で施肥ノズルに対して交差状に、且つ側面視で後方下方へ傾斜して設けたことを特徴とする施肥同時移植機。
【請求項２】
前記埋め戻し部材を棒状部材で形成したことを特徴とする請求項１に記載の施肥同時移植機。
【発明の詳細な説明】
【０００１】
【発明の属する技術分野】
本発明は、田植と同時に肥料を水田の土中へ施用するようにした施肥同時移植機の構造に関する。
【０００２】
【従来の技術】
従来、田植と同時にペースト状肥料を土中へ施用するようにした施肥同時移植機は既に知られている（例えば、特許文献１参照。）。
これらに装着した施肥ノズルはその横幅が狭く、施肥ノズルで泥中に施肥するための施肥溝を掘っても、泥による復帰反力等で溝が塞がれ、また、散布するペースト状肥料の粘度をかなり高くしていたため、溝から肥料が流亡するという問題は発生しなかった。
しかし、近年は肥料の取扱性を良くする等の理由で、肥料の粘度を低くする傾向にあり、また、苗を植える圃場側も、省力化等の目的で耕耘や代掻き作業を一行程で行う技術等の普及で、従来の如く、圃場の準備を丁寧に行わなくなってきており、田植・施肥後の施肥ノズルの溝跡が十分に埋まらず、その溝の隙間からペースト状肥料の一部が流亡すると、施肥効果が薄くなる部分が発生して、生育ムラが発生する等の問題がある。
一方、粒状肥料を圃場に施肥する粒状施肥機を備えた田植機においては、幅広の施肥溝を形成する必要があることから、肥料が流亡し易く、従来より施肥溝を埋め戻す覆土板を設けたものが知られていた（例えば、特許文献２参照。）。
【０００３】
【特許文献１】
特開平９−５６２３０号公報（第１，２，３頁、図３）
【特許文献２】
実公平７−３８５８号公報（第３頁、第２図、第３図）
【０００４】
【発明が解決しようとする課題】
そこで、ペースト状肥料を施肥するにあたり従来技術では不要であった、「施肥溝跡を埋める」との新たな問題に対処するために、施肥溝を埋め戻す埋め戻し部材を設けることが考えられるが、特許文献２のもののように上下方向に幅広の覆土板の前部と後部を左右に所定の変位量で変位させて施肥溝の側方の泥土を施肥溝に掻き寄せるものでは、覆土板が上記変位量に相当する大きな幅の溝を新たに形成してしまい苗倒れを引き起こしたり、植付性能に悪影響を及ぼす場合があった。
本発明は簡単な部材を装着することにより、植付への悪影響を少なくしながら肥料の流亡を無くして肥料の無駄を省くと共に、部分的な生育ムラが発生しないようしたことを目的とする。
【０００５】
【課題を解決するための手段】
上記目的を達成するため、本発明は、圃場に苗を移植する苗植付装置に施肥ノズルを後方下方へ向けて斜設して、この施肥ノズルからペースト状肥料を上記苗植付装置で移植した苗の側方近傍の土中へ施用するようにした施肥同時移植機において、前記施肥ノズルが圃場に形成した溝を埋め戻す埋め戻し部材を、平面視で施肥ノズルに対して交差状に、且つ側面視で後方下方へ傾斜して設けたことを特徴とする。
【０００６】
又、前記埋め戻し部材を棒状部材で形成したことを第２の特徴とする。
【０００７】
【発明の実施の形態】
本発明の実施の形態の一例を以下図面に基づいて説明する。図１は本発明装置を備えた乗用田植機の全体側面図であって、通常の乗用田植機と同様に、１は前後に一対の車輪２，２，３，３を備えた走行機体であって、該走行機体１の前部には内部にエンジン５を搭載したボンネットを挟む両側に、複数段の補助苗載台６，６を備え、左右の中央位置に運転操作用のハンドル７等を配置し、中央部には運転者の座席８を、また、後部には上下の乗降リンク９，９に装着された苗植付装置４が備えられ、該苗植付装置４には、苗載台１０，植付杆１１・・・，フロート１２・・・等が備えられている。
【０００８】
そして、上記走行機体１には、ペースト状肥料を施肥する施肥装置としての各種の装置、即ち、走行機体１の前部に下方に施肥ポンプ１５を備えた施肥タンク１４を設け、インジケータ１６を介して後方の各苗の植付け条毎のホース１７・・に連結した施肥ノズル１８・・の先端から、植付杆１１・・の作動と同時に連続して一定量の液体肥料を圃場内の土中に施用するように構成されている。
【０００９】
次に、図２（ａ）は苗植付装置の要部の側面図、図２（ｂ）はノズルベースの斜視図、図３は作業機の要部の平面図である。
先ず、図２（ａ）において、苗植付装置４の植付杆１１に動力を伝達するのチェンケース１９側部に、アーム２０の前部をボルト２１で回動自在に装着すると共に、上記アーム２０の後端部には、図２（ｂ）に記載の形状のノズルベース２２を、手前側の逆Ｌ字状部の上部で支ピン２３にて片持状で回動自在に支承する一方、上記チェンケース１９の底部にその前部を回動自在に支持された左右のフロート支持アーム２４，２４の後部を、左右の支ピン（フロート揺動支点軸）２５，２５で夫々回動自在に支承する。
そして、上記ノズルベース２２の二股先端側には、図３中央部に記載の筒軸２６を左右への突出部分が対称となる位置で溶接により一体的に装着する。
【００１０】
従って、上記アーム２０，フロート支持アーム２４，２４及びノズルベース２２によって形成される構成の平行リンク作用により、上記筒軸２６が回動することなく、平行に上下する構成となっており、前記フロート１２・・・と後述する施肥ノズル１８とは一体的に上下し、植付深さの変更調節に対応して施肥深さも同調して調節され、植付深さに対する施肥深さは一定に保たれる。
なお、上記上下の支ピン２３，２５部の符号２７，２７は上記両支ピン２３，２５の外側に装着したＲピンを示す。
【００１１】
また、図３において、左右の施肥ノズル１８，１８が装着されているノズル回動軸２９は、中央部の筒軸２６に対して回動自在となっており、後述するノズル深さ調節機構３０を介して上記筒軸２６に対してノズル回動軸２９を所定の角度回動させることで、植付深さを変えずに施肥深さのみを単独で調節出来るように構成されている。
ここで、上記ノズル回動軸２９の両端部にある薄目の取付プレート３１，３１は、ノズル回動軸２９と一体となっており、その両外側に位置する厚目の取付プレート３２，３２は、図２（ａ）からも明白なように、その下部に上記施肥ノズル１８が一体的に装着されて後方に延びている。
【００１２】
更に、上記厚目の取付プレート３２の側面外側には、図２（ａ）記載の如く、上記施肥ノズル１８，１８が通過した溝を埋めるための埋め戻し部材３３，３３を上下の緊締具３４，３４にて装着している。
そして、その装着状態を平面視（図３）で見ると、上記緊締具３４，３４は、夫々内外の両取付プレート３１，３２を一体状に装着すると同時に、上記埋め戻し部材３３をも装着するものである。
なお、施肥ノズル１８の先端側の３５，３５は、前記ホース１７との継手部である。
【００１３】
ここで、上記施肥ノズル１８，１８と埋め戻し部材３３，３３との取付上の位置関係は、平面視（図３）では、施肥ノズル１８に対して埋め戻し部材３３の先端側が苗植付位置Ｐの反対側に位置し、施肥ノズル１８の側面と交差して配置され、施肥ノズル１８より短い構造となっており、また、側面視〔図２（ａ）〕では、施肥ノズル１８と同様に後方下方へ傾斜して設けてある。
従って、上記埋め戻し部材３３は、施肥ノズル１８の先端の肥料吐出側が泥面内に挿入されて、走行機体１の前進に伴って、施肥ノズル１８の側面に沿って形成された溝の壁部の泥土を施肥ノズル１８の上方に案内して、図４（ｂ）に示すように、上記溝を埋めるように作用する。
そして、施肥ノズル１８の先端の上方は埋め戻し部材３３によって既に埋め戻されているため、図４（ａ）に示すような施肥ノズル１８から突出される肥料の流亡を防止することができる。
【００１４】
この際、埋め戻し部材３３は上下・左右共に幅の小さい部材である棒状部材を泥面に対して傾斜して没入されるものであるため、溝の壁部の泥土を施肥ノズル１８上に良好に案内して施肥ノズルで形成した溝を埋めながら、埋め戻し部材自体が圃場面に幅広の溝を形成することがない。
【００１５】
次に、ノズル深さ調節機構３０について説明するに、ノズル回動軸２９に溶接されたロッド３７が起立しており、該ロッド３７にはその周囲に中心部からの距離の異なる４ヵ所の嵌合部３８・・・を有するノズル深さ調節部材３９がロッド３７に対して回動自在に嵌装されていて、圧縮スプリング４０により常時下方に押圧するようになっている。
一方、上記筒軸２６には先端側が折曲状の嵌合杆４１が設けられており、該嵌合杆４１の折曲部分４２に上記嵌合部３８の何れかを嵌合させることにより、ノズル回動軸２９の筒軸２６に対する角度を変更させて、上記施肥ノズル１８の先端側の施肥深さを変更するように構成されている。
【００１６】
そして、上記施肥深さの調節に当たっては、上記ノズル深さ調節部材３９を圧縮スプリング４０の圧力に抗してロッド３７に沿って上方に引き上げて適宜位置に回動してから、嵌合部３８を嵌合杆４１の折曲部分４２に嵌合させることにより行われるものである。
ここで、上記埋め戻し部材３３，３３は、上記施肥ノズル１８，１８と一体状に装着されているので、両者の位置関係は常に一定となり、埋め戻し部材３３，３３の角度も同時に変わることとなる。
【００１７】
本発明の施肥同時移植機は、以上のような構成よりなっており、田植・施肥作業を開始するに当たっては、苗植付装置４の苗載台１０及び走行機体１の補助苗載台６，６上にマット状苗を満載すると共に、ペースト状肥料を施肥タンク１４内に充満させてからエンジン５を始動させると共に、作業機クラッチを操作して作業を開始する。
この時、苗載台１０上の苗は植付杆１１・・・にて、一株毎に掻取られて圃場に植えられると共に、施肥ポンプ１５・・・の作動により施肥タンク１４内の肥料が各植付条毎に後方の施肥ノズル１８・・・の先端から土中に筋状に連続施用される。
【００１８】
そして、施肥深さを調節したい時には、ノズル深さ調節機構３０を操作することにより、施肥ノズルの支持角度を変更することで施肥深さを変更出来るが、この時埋め戻し部材３３の支持角度も施肥ノズルと同時に同量変更され、施肥深さの調節と同時に埋め戻し部材の作用高さの調節が行われるものである。
【００１９】
従って、本発明においては、簡単な部材を装着するのみで、図４（ａ）に示す従来の如く、施肥ノズル１８の溝跡の隙間から液体肥料の一部が流亡することによって肥料を無駄にしたり、部分的に肥料の効果がなくなって、穀稈の生育ムラが発生するようなことをなくし、圃場の硬軟等の条件とは関係なく、常に良好なる田植・施肥作業をする事が可能となるものである。
しかも、施肥ノズル１８の施肥深さを変更しても、施肥ノズル１８と埋め戻し部材３３との位置関係は変わらないので、常に良好な泥土の埋め戻し作用を成すものである。
【００２０】
【発明の効果】
本発明は、前記の如く、圃場に苗を移植する苗植付装置４に施肥ノズル１８を後方下方へ向けて斜設して、この施肥ノズル１８からペースト状肥料を上記苗植付装置１１で移植した苗の側方近傍の土中へ施用するようにした施肥同時移植機において、前記施肥ノズル１８が圃場に形成した溝を埋め戻す埋め戻し部材３３を、平面視で施肥ノズル１８に対して交差状に、且つ側面視で後方下方へ傾斜して設けたので、圃場面に埋め戻し部材３３が幅広の溝を形成することなく施肥ノズル１８の溝跡を埋め戻すことができ、施肥ノズル１８の溝跡の隙間からペースト状肥料の一部が流亡して、肥料を無駄にしたり、部分的に散布肥料の効果がなくなって、穀稈の生育ムラが発生するようなことをなくし、圃場の硬軟等の条件とは関係なく安定した施肥作業が出来るものである。
【００２１】
しかも、上記埋め戻し部材３３は、棒状部材からなっており、圃場内の雑草や蔓等の夾雑物の引っ掛かりが少なく、苗の植付性能の維持に悪影響を及ぼすようなことはなく、取付けも簡単で安価となる。
【図面の簡単な説明】
【図１】本発明装置を備えた乗用田植機の全体側面図である。
【図２】（ａ）は作業機の要部の側面図である。
（ｂ）はノズルベースの斜視図である。
【図３】作業機の要部の平面図である。
【図４】（ａ）は従来の施肥位置の圃場断面図である。
（ｂ）は本発明の埋め戻し部材の作用を示した圃場断面図である。
【符号の説明】
１    走行機体
４    苗植付装置
８ａ，８ｂ  昇降リンク
１１  植付杆
１２  フロート
１８  施肥ノズル
２２  ノズルベース
２６  筒軸
２９  ノズル回動軸
３０  ノズル深さ調節機構
３３  埋め戻し部材
３９  ノズル深さ調節部材
【図１】
2005040004.tif 000003
【図２】
2005040004.tif 000004
【図３】
2005040004.tif 000005
【図４】
2005040004.tif 000006